(57)【要約】パケット交換通信網で使用する移動通信装置はディスプレイを含み、それは予約支払量からの残りのデータ量を表示することができる。それにより、ユーザはプリペイド予約支払内でどれだけのデータを送信または受信できるかを了解することができる。ディスプレイはグラフィカルであり、ユーザはデータ量を数値的だけでなく容易に判断することができる。移動通信装置は再送信の二重カウントを回避するように送信および受信されたデータ量を算出する。
2004517586.tif 000002
【特許請求の範囲】
【請求項１】
移動通信装置であって、第１の予約支払データ量の表示を格納することができる記憶装置と、
予約支払データ量からの残りの第２のデータ量の第１の視覚表示を与えることができるディスプレイと、
を含む移動通信装置。
【請求項２】
請求項１記載の移動通信装置であって、第１の視覚表示は第１の予約支払データ量に関連するサイズを有するディスプレイの第１の領域と、予約支払データ量からの残りの第２のデータ量に関連するサイズを有する第１の領域内のディスプレイの第２の領域とを含む移動通信装置。
【請求項３】
請求項１または２記載の移動通信装置であって、さらに、
送信および受信された第３のデータ量を算出し、算出された第３のデータ量に基づいて第２のデータ量を算出する処理回路を含む移動通信装置。
【請求項４】
請求項３記載の移動通信装置であって、処理回路はヘッダー情報を除いて送信および受信された第３のデータ量を算出する移動通信装置。
【請求項５】
請求項３または４記載の移動通信装置であって、処理回路は再送信を除いて送信および受信された第３のデータ量を算出する移動通信装置。
【請求項６】
請求項５記載の移動通信装置であって、処理回路はサブネットワーク・デペンデント・コンバージエンス・プロトコル（ＳＮＤＣＰ）およびＩＰ／Ｘ．２５間で送信および受信された第３のデータ量を算出する移動通信装置。
【請求項７】
請求項１乃至６のいずれかの項記載の移動通信装置であって、記憶装置は取外し可能である移動通信装置。
【請求項８】
請求項７記載の移動通信装置であって、記憶装置はＳＩＭカードを含む移動通信装置。
【請求項９】
請求項１乃至８のいずれかの項記載の移動通信装置であって、処理手段はさらにセション内の第４のデータ量を算出することができる移動通信装置。
【請求項１０】
請求項９記載の移動通信装置であって、ディスプレイはさらに前記セション内に残る第５のデータ量の第２の視覚表示を与えることができる移動通信装置。
【請求項１１】
請求項１０記載の移動通信装置であって、第２の視覚表示はセション内の第４のデータ量に関連するサイズを有するディスプレイの第３の領域と、セションから残る第５のデータ量に関連するサイズを有する第３の領域内のディスプレイの第４の領域とを含む移動通信装置。
【請求項１２】
請求項１乃至１１のいずれかの項記載の移動通信装置であって、移動通信網から受信した信号から第２のデータ量に関連する情報を得ることができる移動通信装置。
【請求項１３】
移動通信装置の動作方法であって、
第１の予約支払データ量の表示を格納するステップと、
予約支払データ量からの残りの第２のデータ量の第１の視覚表示を与えるステップと、
を含む方法。
【請求項１４】
請求項１３記載の方法であって、第１の視覚表示は第１の予約支払データ量に関連するサイズを有するディスプレイの第１の領域と、予約支払データ量からの残りの第２のデータ量に関連するサイズを有する第１の領域内のディスプレイの第２の領域とを含む方法。
【請求項１５】
請求項１３または１４記載の方法であって、さらに、
送信および受信された第３のデータ量を算出し、算出された第３のデータ量に基づいて第２のデータ量を算出するステップを含む方法。
【請求項１６】
請求項１５記載の方法であって、ヘッダー情報を除いて送信および受信された第３のデータ量を算出するステップを含む方法。
【請求項１７】
請求項１５または１６記載の方法であって、再送信を除いて送信および受信された第３のデータ量を算出するステップを含む方法。
【請求項１８】
請求項１７記載の方法であって、サブネットワーク・デペンデント・コンバージエンス・プロトコル（ＳＮＤＣＰ）およびＩＰ／Ｘ．２５間で送信および受信された第３のデータ量を算出するステップを含む方法。
【請求項１９】
請求項１３乃至１８のいずれかに記載の方法であって、さらに、セション内の第４のデータ量を算出するステップを含む方法。
【請求項２０】
請求項１９記載の方法であって、さらに、前記セション内に残る第１のデータ量の第２の視覚表示を与えるステップを含む方法。
【請求項２１】
請求項２０記載の方法であって、第２の視覚表示はセション内の第４のデータ量に関連するサイズを有するディスプレイの第３の領域と、セションから残る第５のデータ量に関連するサイズを有する第３の領域内のディスプレイの第４の領域とを含む方法。
【請求項２２】
請求項１３乃至２１のいずれかに記載の方法であって、さらに、移動通信網から受信した信号から第２のデータ量に関連する情報を得るステップを含む方法。
【請求項２３】
ディスプレイを有する移動通信装置であって、ディスプレイは予約支払データ量からの残量を表示することができる移動通信装置。
【請求項２４】
移動通信装置の動作方法であって、
予約支払データ量からの残りのデータ量の視覚表示を与えるステップを含む方法。
【発明の詳細な説明】
【０００１】
本発明は通信装置、特に、ワイヤレス網に対してデータを送受信することができる移動通信装置に関する。例えば、本発明は汎用パケット無線サービス（ＧＰＲＳ）で使用するハンドセットに応用することができる。
【０００２】
（発明の背景）
例えば、移動通信用グローバルシステム（ＧＳＭ）の元で動作する従来の第２世代移動通信システムでは、典型的にネットワークへの接続の持続時間によって決まる金額が移動局加入者に課金される。プリペイド電話機の場合、加入者は予め支払を済ませて対応するクレジットを受け取る。
【０００３】
ＥＰ−Ａ−１０３０５０６にはプリペイド移動電話機若しくは携帯電話が示されており、それは現在のクレジット値を電話機のディスプレイ上に数値的に示すディスプレイを有する。
【０００４】
それに対して、例えば、汎用パケット無線サービス（ＧＰＲＳ）デジタルセルラー電気通信システムで動作する第３世代移動通信システムでは、加入者は有利に常時網接続を維持できることが計画されている。この場合、ネットワークへの接続の持続時間によって決まる金額を移動局加入者に課金するのは不適切となることがある。むしろ、加入者とネットワーク間で交換されるデータ量に関連する課金を行うことがより適切となることがある。
【０００５】
一つの可能性はネットワークオペレータが、例えば毎月、基本料金を課金することができ、加入者はその基本料金内で指定されたデータ量の送信または受信を許される。
【０００６】
（発明の概要）
本発明に従って移動通信装置が提供され、それは予約支払量からの残りのデータ量を表示することができるディスプレイを含んでいる。
【０００７】
これによりユーザはプリペイド予約支払内でどれだけのデータを送信または受信できるかを了解することができる。
【０００８】
好ましくは、ディスプレイはグラフィカルであり、ユーザはデータ量を容易に判断することができる。
【０００９】
好ましくは、移動通信装置は再送信の二重カウントを回避するように送受信されるデータ量を算出する。再送信がカウントされなければ、それはネットワーク故障により強要されることがある再送信に対してユーザは二度払いする必要がないことを意味する。移動局においてデータ量を測定できるようにするために、再送信を無視しながら、移動局はそれに従ってネットワークノードと通信するプロトコルを使用して測定を行う。
【００１０】
本発明のもう一つの好ましい実施例では、移動局のディスプレイはさらに現在のセションにおいて送信または受信すべき残りのデータ量を表示することもできる。
【００１１】
本発明のもう一つの側面に従って、本発明の第１の側面に従った移動通信装置の動作方法が提供される。
【００１２】
“含む／含んでいる（ｃｏｍｐｒｉｓｅｓ／ｃｏｍｐｒｉｓｉｎｇ）”という用語が本明細書で使用される場合、それは記述された特徴、完全体（ｉｎｔｅｇｅｒｓ）、ステップまたはコンポーネントの存在を明記するものであるが、一つ以上の他の特徴、インテジャー若しくは完全体、ステップ、コンポーネントまたはその組合せの存在や追加を除外するものではないことを強調する。
【００１３】
（好ましい実施例の詳細な説明）
図１は本発明を実現する携帯電話１０を示す。図１は携帯電話を示しているが、携帯電話、ページャ、コミュニケータ若しくは通報器、電子手帳（電子オルガナイザ）、スマートホン、携帯情報端末（ＰＤＡ）、等の携帯無線通信装置や移動若しくは携帯無線端末に本発明は一般に適用され、特に、パケット交換ワイヤレス通信網で動作することができるそのような装置に応用することができる。
【００１４】
図２はそのさまざまなコンポーネント間の動作接続を例示する略ブロック図である。
【００１５】
電話機１０はアンテナ１２、マイクロホン１４、スピーカ１６、ディスプレイ１８、およびキーボード２０を含んでおり、それらは全て従来の機能を有している。
【００１６】
アンテナはトランシーバ回路２２に接続されており、それはさらにプロセッサ２４に接続されている。プロセッサ２４は適切なソフトウェアを使用して電話機１０の動作を制御する。トランシーバ回路２２はアンテナ１２から着信無線周波数信号を受信し、それらをプロセッサ２４で使用するためにダウン変換し復調する。トランシーバ回路２２はプロセッサ２４からのデータ信号も受信し、次にアンテナ１２を介して送信するために、それらを変調し無線周波数にアップ変換する。
【００１７】
マイクロホン１４およびスピーカ１６は信号を適切なフォーマットに変換する音声符号／復号器２６を介してプロセッサ２４に接続されている。
【００１８】
データ１０は、さらに、取外し可能な加入者識別モジュール（ＳＩＭ）を含んでおり、それは加入者に関する情報を格納する取外し可能なスマートカードである。本発明に特に関係するのは加入者がプリペイド予約支払をしていて、予約支払期間内である量のデータを受信または送信できるという事実である。例えば、加入者は毎月予約支払を行いその期間中に、例えば、５０メガバイトのデータを受信または送信する権利を与えられる。このような予約支払情報は全てＳＩＭカード２８上に格納される。
【００１９】
図１および２の電話機は外部装置に接続するインターフェイス３０も含んでいる。例えば、外部装置は携帯またはラップトップコンピュータとすることができる。インターフェイスは、例えば、赤外リンクを使用するまたはブルートース（Ｂｌｕｅｔｏｏｔｈ）短距離無線リンクを使用する有線または無線とすることができる。したがって、インターフェイス３０はワイヤレス通信網を介して外部装置を遠隔装置に接続することができる。
【００２０】
ディスプレイ１８は状態情報等をディスプレイするのに適したＬＣＤディスプレイとするのが便利であり、あるいは、任意他の適切なタイプのディスプレイとすることができる。図３は本発明に従ってディスプレイ１８上に提供される情報を示す。
【００２１】
図３において、ディスプレイは装置が接続されるネットワーク４０、現在の時間４１、受信信号強度４２およびバッテリ充電レベル４４を表示する。これら従来の特徴に加えて、ディスプレイ１８は予約支払データの残量４６および現在のセションにおけるデータの残量４８も表示する。
【００２２】
従来と同様に、ユーザは電話機のキーボード２０を使用して利用可能なさまざまなオプションをスクロールすることができ、またいずれかのインジケータ４６，４８をディスプレイするかどうかを選択することができる。
【００２３】
ユーザがインジケータをディスプレイすることを選択すると、その各々が好ましくは総データ量およびデータの残量を示す。
【００２４】
そのため、インジケータ４６はその長さがひと月内にユーザが送信または受信する権利を与えられる総データ量を示すバー５０を含んでおり、またデータ量の数値表示、すなわちこの場合は５０メガバイト、も含んでいる。バー５０は陰影部５２を含み、その長さは予約支払データ量の残量を示す。この量はグラフィック表示される。この場合は３７メガバイトである量も数値的に表示される。
【００２５】
同様に、セション中すなわちネットワークからのダウンロードまたはネットワークへの大きなファイルの送信中に、インジケータ４８は現在のセションにおけるデータの残量を示す。そのため、インジケータ４６と幾分同様に、インジケータ４８はその長さがセションの一部として送信または受信される総データ量を示すバー５４を含んでおり、またデータ量の数値表示、すなわちこの場合は２０キロバイト、も含んでいる。バー５４は陰影部５６を含み、その長さはセション内のデータの残量を示し、この量も数値的に表示され、この場合は７キロバイトである。
【００２６】
ひと月内にユーザが送信または受信する権利を与えられる総データ量に関する情報がＳＩＭカード２８上に格納され、ディスプレイ１８に供給するためにプロセッサ２４により検索することができる。
【００２７】
セションの一部として送信または受信される総データ量に関する情報も一般的に入手できる。送信されるデータの場合には、ファイルのサイズを一般的に読み出すことができる。受信されるデータの場合には、遠隔装置からダウンロードのサイズを決定することができる。
【００２８】
しかしながら、予約支払データ量の残量に関する情報は他の情報から算出しなければならない。特に、受信または送信されているデータ量を最初に算出することにより、予約支払データ量の残量を算出することがもちろん必要である。
【００２９】
図４は、ＥＴＳＩ ＥＮ ３０１３４４ ＧＳＭ ０３．６０ バージョン７．４．０， ２２頁， ５．６．１節に明記されている汎用パケット無線サービス（ＧＰＲＳ）デジタルセルラー電気通信システムにおける送信プレーン、すなわち、プロトコル構造を示す。この線図はＧＰＲＳサポートノード（ＳＧＳＮ）およびゲートウェイＧＰＲＳサポートノード（ＧＧＳＮ）にサービスする移動局（ＭＳ）、基地局システム（ＢＳＳ）間で使用される。
【００３０】
受信または送信されているデータ量を算出する時に、送信されたデータパケットに関連するヘッダー情報を無視し、さらにパケットの再送信を無視することが好ましい。すなわち、ＧＰＲＳシステムはデータパケットが正しく受信されない場合にそれを再送信することができる機構を含んでいる。しかしながら、必要であるかもしれない送信数に無関係に、加入者は各パケットに対して一度だけ課金されることが望ましい。これは加入者にとってより歓迎される。
【００３１】
加入者へのコストを算出する時にネットワークがヘッダー情報および再送信を無視する場合、受信または送信データ量を算出する時に携帯電話は同様にそれらを無視しなければならない。
【００３２】
携帯電話自体内で実行されているアプリケーションに対してデータが転送されている時に、ヘッダー情報および再送信を除く生データ量を任意の簡便な方法で算出することができる。
【００３３】
しかしながら、前記したように、携帯電話はＧＰＲＳ網を介してラップトップコンピュータをもう一つの装置に接続するのに有利に使用されていることがある。その場合、携帯電話とラップトップコンピュータ間には、携帯電話が初めて送信されているデータとうまく送信されなかったデータの再送信とを区別できるようにするプロトコルがない。
【００３４】
したがって、大概の再送信はＬｏｇｉｃａｌ Ｌｉｎｋ Ｃｏｎｔｒｏｌ （ＬＬＣ） プロトコルやＲａｄｉｏ Ｌｉｎｋ Ｃｏｎｔｒｏｌ ａｎｄ Ｍｅｄｉｕｍ Ａｃｃｅｓｓ Ｃｏｎｔｒｏｌ （ＲＬＣ／ＭＡＣ） プロトコル等の一つの下位レイヤで行われるため、少なくともアプリケーションが携帯電話から独立した装置で実行されている時は、送信データ量はＳｕｂｎｅｔｗｏｒｋ Ｄｅｐｅｎｄｅｎｔ Ｃｏｎｖｅｒｇｅｎｃｅ Ｐｒｏｔｏｃｏｌ （ＳＮＤＣＰ）において最も正確に測定される。
【００３５】
アプリケーションが独立した装置で実行されているか携帯電話自体で実行されているかにかかわらず同じポイントで測定することが好ましいため、送信または受信データ量はＳｕｂｎｅｔｗｏｒｋ Ｄｅｐｅｎｄｅｎｔ Ｃｏｎｖｅｒｇｅｎｃｅ Ｐｒｏｔｏｃｏｌ （ＳＮＤＣＰ）およびインターネットプロトコル（ＩＰ）またはＸ．２５間で測定され、後の２つのプロトコルのいずれかが使用されている。
【００３６】
すなわち、携帯電話は着信データの場合にはＳＮＤＣＰからＩＰ／Ｘ．２５に転送されるビット数を測定し、発信データの場合にはＩＰ／Ｘ．２５からＳＮＤＣＰに転送されるビット数を測定する。
【００３７】
現在までの送信または受信データ量を測定することにより、セション内のデータの残量に関する情報は予約支払データ量の残量に関する情報と同様に算出することができる。
【００３８】
前記したシステムでは、携帯電話は受信および送信データ量を測定する。しかしながら、ネットワークオペレータから加入者に課金される金額はネットワーク自体により測定されたデータ量によって決まる。ネットワークにより測定されたデータ量に関する情報は周期的にネットワークから携帯電話に送ることができる。次に、ネットワークから提供された情報を携帯電話自体により測定された金額と電話自体で比較することができ、著しい相違があればユーザに警告される。あるいは、ネットワークにより測定されたデータ量に関する情報が十分頻繁にネットワークから携帯電話に送られる場合には、電話はいかなる測定も行う必要がなくなり、ディスプレイはネットワークから受信した情報に完全に依存することができる。
【００３９】
前記説明は加入者が全転送データに対して課金されるものと仮定している。しかしながら、実際にはそうではない。例えば、加入者に無償で送信または受信されるデータには特定のフラグが付けられていることがある。予約支払されていないデータの残量に関するディスプレイされた情報が携帯電話内での計算により得られる場合には、携帯電話は各送信にそのフラグが付けられているかどうかを確認する必要がある。
【００４０】
予約支払データ量がどれだけ残っているかをユーザが容易に了解することができる機構が説明されている。
【図面の簡単な説明】
【図１】
本発明に従った移動通信装置を示す図である。
【図２】
図１の移動通信装置の略ブロック図である。
【図３】
本発明の動作を例示する図１の移動通信装置のディスプレイ画面を示す図である。
【図４】
図１の移動通信装置がワイヤレス網と通信するためのプロトコル構造を示す図である。
【図１】
2004517586.tif 000003
【図２】
2004517586.tif 000004
【図３】
2004517586.tif 000005
【図４】
2004517586.tif 000006
【国際公開パンフレット】
2004517586.tif 000007
2004517586.tif 000008
2004517586.tif 000009
2004517586.tif 000010
2004517586.tif 000011
2004517586.tif 000012
2004517586.tif 000013
2004517586.tif 000014
2004517586.tif 000015
2004517586.tif 000016
2004517586.tif 000017
2004517586.tif 000018
2004517586.tif 000019
2004517586.tif 000020
2004517586.tif 000021
2004517586.tif 000022
【国際調査報告】
2004517586.tif 000023
2004517586.tif 000024
2004517586.tif 000025